(57)【要約】スマートフォンベースの複数患者ワークリスト（SPWL）を提供すると、スマートフォンアプリケーション又は「app」が、割り当てられた患者のケアを計画して調整するために、看護師又は他のヘルスケアプロバイダに提供される。SPWLは、時間ベース及び患者ベースの画面を含み、これらの画面は、看護師が、特定の患者について何を行う必要があるかを決定するだけでなく、患者のグループについて、特定の時間又は時間範囲に何を行う必要があるかを決定することを可能にする。詳細な粒度の異なるレベルへズームイン又はズームアウトすることのように、異なるビューの間のナビゲーションを、例えばタッチスクリーン等を介して実行することができる。アイコンの使用を通して、SPWLは、限られた画面スペースを使用して、最適化情報詳細を提供することができる。
2017513125.tif 000002
【特許請求の範囲】
【請求項１】
患者ステータス情報をカルテ記入するために、スマートフォンベースの複数患者ワークリスト（SPWL）を提供するための命令を記憶しているコンピュータ読取可能媒体であって、前記命令は、
スマートフォンのユーザを識別するユーザログイン情報を受け取る動作と；
前記ユーザに割り当てられた複数の患者について前記ユーザのシフト中に完了すべきスケジュールされたタスクを表すアイコンを備えるワークリストのホーム画面を、前記スマートフォンのユーザインタフェース上に前記ユーザに対して提示する動作と；
前記ユーザが、前記複数の患者のうちの特定の１人の患者について実行すべきタスクを備える患者詳細画面にナビゲートしたことを検出する動作と；
前記特定の患者について実行すべき前記タスクの完了に関するユーザ入力ステータス更新情報を受け取る動作と；
前記特定の患者のカルテのリアルタイム更新のために、前記ステータス更新情報を中央サーバに送信する動作と；
を備える、コンピュータ読取可能媒体。
【請求項２】
前記患者詳細画面は、前記SPWLを介して前記ユーザに提示される複数の画面のうち、前記ユーザが前記患者詳細画面を越えてナビゲートすることはできないが、前記複数の画面中を戻るようナビゲートすることは許容される、最も深い画面である、
請求項１に記載のコンピュータ読取可能媒体。
【請求項３】
前記ユーザは、所与の患者の患者情報を、該所与の患者に対応する前記患者詳細画面のみにおいてカルテ記入することを許容される、
請求項２に記載のコンピュータ読取可能媒体。
【請求項４】
前記複数の画面は、時間ベースの読取専用画面であるスケジュール画面を備え、該スケジュール画面は、前記ユーザが複数の患者について実行すべきスケジュールされたタスクの要約を、前記ユーザに対して図形的に提示するアイコンを備える、
請求項２に記載のコンピュータ読取可能媒体。
【請求項５】
前記複数の画面は、読取専用画面である患者画面を備え、該患者画面は、前記ユーザに割り当てられた複数の患者に関連する詳細の要約を、前記ユーザに対して図形的に提示するアイコンを備える、
請求項２乃至４のいずれか一項に記載のコンピュータ読取可能媒体。
【請求項６】
前記複数の画面は、時間ベースの読取専用画面であるスケジュール詳細画面を備え、該スケジュール詳細画面は、前記ユーザが、１つ以上の選択された時間期間の間に実行すべきスケジュールされたタスクの要約を、前記ユーザに対して図形的に提示するアイコンを備える、
請求項２乃至５のいずれか一項に記載のコンピュータ読取可能媒体。
【請求項７】
要約される情報は、前記患者について実行すべきタスクと、前記患者に対して投与すべき薬と、タイムクリティカルなタスク又は薬と、前記患者に対して実施すべき臨床的手当のうちの少なくとも１つを備える、
請求項２乃至６のいずれか一項に記載のコンピュータ読取可能媒体。
【請求項８】
前記ホーム画面及び前記複数の画面の各々は、前記ユーザに割り当てられた全ての患者について、期限超過ワークフローリマインダ、タイムクリティカルなタスク、臨床報告及び検査結果の通知のうちの１つ以上に関連付けられる選択可能なアイコンを備える、警告パネルを含む、
請求項２乃至７のいずれか一項に記載のコンピュータ読取可能媒体。
【請求項９】
前記ホーム画面及び前記複数の画面の各々は、選択されると、ユーザに患者画面、スケジュール画面、以前の画面、ログイン画面及びログアウト画面をそれぞれ提示する、複数の選択可能なナビゲーションアイコンを備える、ナビゲーションパネルを含む、
請求項２乃至８のいずれか一項に記載のコンピュータ読取可能媒体。
【請求項１０】
前記アイコンは更に、
１つ以上のスケジュールされていない継続的な治療；
１人以上の患者に対する注意を要する１つ以上の身体的な部位；及び
所定の時間ウィンドウ内での実施を要する１つ以上の時間制約のあるタスク；
のうちの少なくとも１つに関連する情報を表す
請求項１乃至９のいずれか一項に記載のコンピュータ読取可能媒体。
【請求項１１】
請求項１乃至１０のいずれか一項に係る命令を実行するように構成されるプロセッサ。
【請求項１２】
患者ステータス情報をカルテ記入するために、スマートフォンベースの複数患者ワークリスト（SPWL）を提供するように構成されるパーソナル通信デバイスであって、
スマートフォンのユーザを識別するユーザログイン情報を受け取り、
前記ユーザに割り当てられた複数の患者について前記ユーザのシフト中に完了すべきスケジュールされたタスクを備えるワークリストのホーム画面を、前記スマートフォンのユーザインタフェース上に前記ユーザに対して提示し、
前記ユーザが、前記複数の患者のうちの特定の１人の患者について実行すべきタスクを備える患者詳細画面にナビゲートしたことを検出し、
前記特定の患者について実行すべき前記タスクの完了に関するユーザ入力ステータス更新情報を受け取り、
前記特定の患者のカルテのリアルタイム更新のために、前記ステータス更新情報を中央サーバに送信する
ように構成されるプロセッサ
を備える、パーソナル通信デバイス。
【請求項１３】
前記患者詳細画面は、前記SPWLを介して前記ユーザに提示される複数の画面のうち、前記ユーザが当該患者詳細画面を越えてナビゲートすることはできないが、前記複数の画面中を戻るようナビゲートすることは許容される、最も深い画面である、
請求項１２に記載のパーソナル通信デバイス。
【請求項１４】
前記ユーザは、所与の患者の患者情報を、該所与の患者に対応する前記患者詳細画面のみにおいてカルテ記入することを許容される、
請求項１３に記載のパーソナル通信デバイス。
【請求項１５】
前記複数の画面は、時間ベースの読取専用画面であるスケジュール画面を備え、該スケジュール画面は、前記ユーザが複数の患者について実行すべきスケジュールされたタスクの要約を、前記ユーザに対して図形的に提示するアイコンを備える、
請求項１３に記載のパーソナル通信デバイス。
【請求項１６】
前記複数の画面は、読取専用画面である患者画面を備え、該患者画面は、前記ユーザに割り当てられた複数の患者に関連する詳細の要約を、前記ユーザに対して図形的に提示するアイコンを備える、
請求項１３乃至１５のいずれか一項に記載のパーソナル通信デバイス。
【請求項１７】
前記複数の画面は、時間ベースの読取専用画面であるスケジュール詳細画面を備え、該スケジュール詳細画面は、前記ユーザが、１つ以上の選択された時間期間の間に実行すべきスケジュールされたタスクの要約を、前記ユーザに対して図形的に提示するアイコンを備える、
請求項１３乃至１６のいずれか一項に記載のパーソナル通信デバイス。
【請求項１８】
要約される情報は、前記患者について実行すべきタスクと、前記患者に対して投与すべき薬剤と、タイムクリティカルなタスク又は薬剤と、前記患者に対して実施すべき臨床的手当のうちの少なくとも１つを備える、
請求項１３乃至１７のいずれか一項に記載のパーソナル通信デバイス。
【請求項１９】
前記ホーム画面及び前記複数の画面の各々は、前記ユーザに割り当てられた全ての患者について、期限超過ワークフローリマインダ、タイムクリティカルなタスク、臨床報告及び検査結果の通知のうちの１つ以上に関連付けられる選択可能なアイコンを備える、警告パネルを含む、
請求項１３乃至１８のいずれか一項に記載のパーソナル通信デバイス。
【請求項２０】
前記ホーム画面及び前記複数の画面の各々は、選択されると、ユーザに患者画面、スケジュール画面、以前の画面、ログイン画面及びログアウト画面をそれぞれ提示する、複数の選択可能なナビゲーションアイコンを備える、ナビゲーションパネルを含む、
請求項１３乃至１９のいずれか一項に記載のパーソナル通信デバイス。
【請求項２１】
アイコンは更に、
１つ以上のスケジュールされていない継続的な治療；
１人以上の患者に対する注意を要する１つ以上の身体的な部位；及び
所定の時間ウィンドウ内での実施を要する１つ以上の時間制約のあるタスク；
のうちの少なくとも１つに関連する情報を表す
請求項１３乃至１９のいずれか一項に記載のパーソナル通信デバイス。
【請求項２２】
患者ステータス情報をカルテ記入するために、スマートフォンベースの複数患者ワークリスト（SPWL）を提供する方法であって：
スマートフォンのユーザを識別するユーザログイン情報を受け取るステップと；
前記ユーザに割り当てられた複数の患者について前記ユーザのシフト中に完了すべきスケジュールされたタスクを備えるワークリストのホーム画面を、前記スマートフォンのユーザインタフェース上に前記ユーザに対して提示するステップと；
前記ユーザが、前記複数の患者のうちの特定の１人の患者について実行すべきタスクを備える患者詳細画面にナビゲートしたことを検出するステップと；
前記特定の患者について実行すべき前記タスクの完了に関するユーザ入力ステータス更新情報を受け取るステップと；
前記特定の患者のカルテのリアルタイム更新のために、前記ステータス更新情報を中央サーバに送信するステップと；
を備える、方法。
【請求項２３】
請求項２２に記載の方法を実行するようプロセッサを制御するためのソフトウェアを担持するコンピュータ読取可能媒体。
【発明の詳細な説明】
【技術分野】
【０００１】
本革新は、健康管理、特にその中でも患者のワークリスト管理に関して用途を見出している。しかしながら、説明される技術は、他のワークリストシステムや他のヘルスケア提供シナリオ、他の組織技術等においても用途を見出すことができることが認識されよう。
【背景技術】
【０００２】
今日利用可能なスマートフォンのアプリケーション（apps）の数は飛躍的に増加しており、毎日より多くのアプリケーションが利用可能である。スマートフォンは、テレビやインターネットよりも人の日常生活の一部となっている。スマートフォンは、操作するのに２つの手を要する大きなラップトップやタブレットとは対照的に、完全にモバイルであり、人のポケット内に収まる大きさである。
【０００３】
本質的に、従来型のマルチパーティワークリストアプリケーションは、典型的に、複数の患者に及ぶ大量のデータへのアクセスを必要とする。例えば一般病棟の看護師は、日中シフトの間に３〜８人の患者、夕方には６〜１５人の患者、そして夜間には最大で４０人もの患者の世話をすることがある。全ての患者に、スケジュールされる治療及びスケジュールされるイベントがある。治療には、投薬管理及び治療のようなタスクが含まれ得る。スケジュールされるイベントには、診断テスト、教育セッション、ADTアクティビティが含まれ得る。これらのスケジュールされるアクティビティの一部は、臨床的条件により、スケジュールされた時間近くに行われなければならず、時間制約がある（time  sensitive）であると考えられる。例えば患者を手術に適した状態にするためには、術前薬を外科手術の１時間近く前に与えなければならない。患者は、インスリンポンプを使用する静脈ライン、手術創傷、胸腔チューブ、導尿カテーテル、酸素療法及び落下防止の予防措置（fall  prevention  precaution）のような、クローズモニタリングを要する継続的な治療及び状態を有していることもある。
【０００４】
複数の患者を世話する際に、一般病棟の看護師は、１つの場所に長い間留まることはない。患者は複数の部屋にいる。看護師はしばしば、部屋から部屋へと走り回って、患者を評価して世話をする必要があることが多い。病棟の看護師は、救命救急の看護師よりもあまり多くの時間を患者と過ごさず、患者間の移動に多くの時間を費やす。病棟の看護師の手は、血圧を測り、薬を与え、歩行の際に患者を助け、そして他のタスクのために空けておかなければならない。
【０００５】
看護師にとっての１つの課題は、限られた時間内に複数の患者をどのように世話をし、必要なタスクを時間通りに行うか、ということである。看護師は、最初にシフトに出て、割り当てられた患者を見直すときに、自身の１日の計画を立て始める。看護師は、タイムクリティカルなタスクを評価しなければならないだけでなく、限られた時間内で患者についてベッドサイドでモニタリングすべき健康パラメータは何であるかを評価しなければならない。この情報の多くは、看護師の紙のワークリストに記録されている。そのような紙のワークリストは、看護師がシフトのために最初に医療施設に到着したときに作成される。この静的な紙切れが、一般病棟の看護師にとっての生命線であり、その看護師に割り当てられた複数の患者について、患者の治療を計画するために頻繁に見直される。電子カルテとコンピュータ化されたワークリストを用いている病院でも、看護師は、ワークリストのコピーをプリントアウトして、患者のスケジュール及びタスクに素早くかつ容易にアクセスするためにポケット内に入れて持ち歩くことが多い。新たな医師の指示が書かれるとき等のように、患者の治療が変わると、看護師は、物理的に患者のカルテ（chart）のところへ行き、紙のワークリスト上の看護師のシフトに影響を与える指示をコピーしなければならない。シフトの終わりには、看護師は、紙のワークリストを、患者記録へカルテ記入（charting）するための情報のソースとして使用する。ワークリストは、患者の世話をする際に一般病棟の看護師によって使用される主なドキュメントである。
【発明の概要】
【発明が解決しようとする課題】
【０００６】
本出願は、モバイルかつ一方の手で容易に操作される、スマートフォンベースの複数患者のワークリストを提供することを促進し、上述の問題及び他の問題を克服する新たな改善されたシステム及び方法を提供する。
【課題を解決するための手段】
【０００７】
一態様によると、コンピュータ読取可能媒体は、患者ステータス情報をカルテ記入するために、スマートフォンベースの複数患者ワークリスト（SPWL）を提供するための命令を記憶しており、命令は、スマートフォンのユーザを識別するユーザログイン情報を受け取る動作と、ユーザに割り当てられた複数の患者についてユーザのシフト中に完了すべきスケジュールされたタスクを備える、ワークリストのホーム画面を、スマートフォンのユーザインタフェース上にユーザに対して提示する動作と、ユーザが、複数の患者のうちの特定の１人の患者について実行すべきタスクを備える患者詳細画面にナビゲートしたことを検出する動作を備える。命令は更に、特定の患者について実行すべきタスクの完了に関するユーザ入力ステータス更新情報を受け取る動作と、特定の患者のカルテ（medical  chart）のリアルタイム更新のために、ステータス更新情報を中央サーバに送信する動作を備える。
【０００８】
別の態様によると、パーソナル通信デバイスは、患者ステータス情報をカルテ記入するために、スマートフォンベースの複数患者ワークリスト（SPWL）を提供するように構成される。このパーソナル通信デバイスは、スマートフォンのユーザを識別するユーザログイン情報を受け取り、ユーザに割り当てられた複数の患者についてユーザのシフト中に完了すべきスケジュールされたタスクを備えるワークリストのホーム画面を、スマートフォンのユーザインタフェース上にユーザに対して提示し、ユーザが、複数の患者のうちの特定の１人の患者について実行すべきタスクを備える患者詳細画面にナビゲートしたことを検出するように構成されるプロセッサを備える。プロセッサは更に、特定の患者について実行すべきタスクの完了に関するユーザ入力ステータス更新情報を受け取り、特定の患者のカルテのリアルタイム更新のために、ステータス更新情報を中央サーバに送信するように構成される。
【０００９】
別の態様によると、患者ステータス情報をカルテ記入するために、スマートフォンベースの複数患者ワークリスト（SPWL）を提供する方法は、スマートフォンのユーザを識別するユーザログイン情報を受け取るステップと；ユーザに割り当てられた複数の患者についてユーザのシフト中に完了すべきスケジュールされたタスクを備える、ワークリストのホーム画面を、スマートフォンのユーザインタフェース上にユーザに対して提示するステップと；ユーザが、複数の患者のうちの特定の１人の患者について実行すべきタスクを備える患者詳細画面にナビゲートしたことを検出するステップを備える。方法は更に、特定の患者について実行すべきタスクの完了に関するユーザ入力ステータス更新情報を受け取るステップと、特定の患者のカルテのリアルタイム更新のために、ステータス更新情報を中央サーバに送信するステップを備える。
【００１０】
１つの利点は、ワークリストのモビリティが向上することにある。
【００１１】
別の利点は、ラップトップ又は他の大きなコンピューティングデバイスの必要性なく、患者のカルテ記入をリアルタイムで実行することができることにある。
【００１２】
本革新の更なる利点は、以下の詳細な説明を読み、理解すると、当業者により認識されるであろう。
【００１３】
本特許及び出願ファイルは、カラーで実施される少なくとも１つの図を含む。カラーの図面とともに本特許及び特許出願の公報のコピーは、請求及び必要な費用の支払いを行うと、特許商標庁によって提供されるであろう。
【図面の簡単な説明】
【００１４】
図面は単に様々な態様を図説するためであり、限定として解釈されるべきではない。
【図１】スマートフォン（又はタブレット）を介して、スマートフォンベースの複数患者ワークリスト（SPWL）を提供することを促進するシステムの図である。
【図２】本明細書で説明される１つ以上の態様に従って、Apple（登録商標）オペレーティングシステム上に提示されるようなSPWL内の「スケジュール」画面の例を示す図である。
【図３】本明細書で説明される１つ以上の態様に従って、Android（登録商標）オペレーティングシステム上に提示されるようなSPWL内の「スケジュール」画面の例を示す図である。
【図４】本明細書で説明される１つ以上の態様に従って、Windows（登録商標）Phoneオペレーティングシステム上に提示されるようなSPWL内の「スケジュール」画面の例を示す図である。
【図５】本明細書で説明される１つ以上の態様に従って、スマートフォン上に提示されるようなSPWL内の「患者」画面の例を示す図である。
【図６】本明細書で説明される１つ以上の態様に従って、スマートフォン上に提示されるようなSPWL内の「スケジュール詳細」画面の例を示す図である。
【図７】本明細書で説明される１つ以上の態様に従って、スマートフォン上に提示されるようなSPWL内の「患者詳細」画面の例を示す図である。
【図８】本明細書で説明される１つ以上の態様に従って、患者ステータス情報をカルテ記入するためにスマートフォンベースの複数患者ワークリスト（SPWL）を提供する方法を示す図である。
【発明を実施するための形態】
【００１５】
説明されるシステム及び方法は、個々の患者又は時間期間へドリルダウン又はズームインする能力により、シフトの間の全体的なワークロードを人が見ることを可能にする一意のユーザインタフェースを提供することによって、上述の問題を克服する。アイコンを使用して、複数の患者にまたがる広範な情報を視覚的に要約する。アイコンを検査して、看護師又は他の医師は、完了する必要がある重要なタスクが何であるか、並びにクローズモニタリング及び評価を必要とする重要な患者の状態及び治療は何であるかを迅速に判別することができる。また、アイコンは、臨床報告及びワークフローのリマインダを看護師に伝えるためにも使用される。ワークリストは、自動的に生成され、動的に更新され、患者記録に対してカルテ記入をするために使用され得る。
【００１６】
説明されるスマートフォンベースの複数患者ワークリスト（SPWL）は、紙の複数患者ワークリストに取って代わり、臨床診断サポート及びワークフローリマインダを組み込む。SPWLは、小さな画面サイズに対処するが、依然として、実行しなければならないタスクと、対処すべき患者の考慮事項への要約された詳細なビューを看護師に提供する、ユーザインタフェースアプローチを有する。SPWLは、アイコンを使用して、看護師に割り当てられた全ての患者に関する要約情報を提供する、１組の画面を有する。画面から画面への容易なナビゲーションは、人が、ケアの異なる側面に焦点を当てて、複数の患者について様々なフォーマットの情報を見ることを可能にする。SPWLは、看護師が紙のワークリストを作成することを必要とせずに、看護師に割り当てられた患者に基づいて自動的に生成される。SPWLは、看護師が紙のワークリストを更新することを必要とせずに、患者のカルテに変更があるといつでも自動的に更新する。また、ワークリストは、患者及びワークフローの問題に関して、紙のワークリストでは利用可能でなかったリマインダ及び警告を看護師に提供する。スマートフォンのアプリケーションとして、SPWLは、ケアを行うために看護師の手を空けたまま、任意の部屋へ任意の状況へ持ち運ぶのが容易である。
【００１７】
加えて、看護師は、SPWLを使用して、完了したタスク及び患者の評価について、従来の紙のワークリストでは行うことができなかったカルテ記入をすることができる。SPWLを介して自動的に行われる全てのカルテ記入は、患者の記録を更新する。SPWLは、情報を取得して、フィリップス社のICCA（Intellivue  Critical  Care  and  Anesthesia  system）のような臨床情報システムに送信する。ICCAを、医療施設（healthcare  site）の一般病棟で使用することができ、ドキュメンテーションは救命救急室と一般病棟との間で同様である。救急救命室と一般病棟との間の１つの相違は、一般病棟では、看護師が多くの患者の世話をし、救急救命看護師は１〜２人の患者の世話をすることが多いことである。したがって、SPWLは、一般病棟の臨床エリア内におけるICCAの使用をサポートすることができるアプリケーションである。
【００１８】
図１は、スマートフォン１２（又はタブレット）によりスマートフォンベースの複数患者ワークリスト（SPWL）を提供することを容易にするシステム１０を図示している。スマートフォン１２は、ユーザインタフェース１３だけでなく、本明細書で説明される様々な機能、方法、技術、アプリケーション等を実行するためのコンピュータ実行可能命令を実行するプロセッサ１４と、これらのコンピュータ実行可能命令を格納するメモリ１６を含む。スマートフォンは、（例えばWiFi接続、セルラ接続、BlueTooth（登録商標）のような短距離接続等を介して）無線でイントラネット１８と通信し、イントラネット１８は更にインターネット２０に結合される。ウェブサービス２２は、イントラネット１８を介してサーバ２４（例えばICCAサーバ）からスマートフォン１２に提供される。イントラネット１８と通信するように図示されているが、スマートフォンは、インターネット２０を介してイントラネット１８にアクセスすることもできることが認識されよう。
【００１９】
本明細書で説明される様々な機能及び／又は方法を実行するためのコンピュータ実行可能命令をプロセッサ１４が実行し、メモリ１６がこれを格納することが理解されよう。メモリ１６は、ディスク、ハードドライブ等のように、制御プログラムが格納されるコンピュータ読取可能媒体であってよい。一般的な形式のコンピュータ読取可能媒体には、例えばフロッピーディスク、フレキシブルディスク、ハードディスク、磁気テープ又は任意の他の磁気記憶媒体、ＣＤ−ＲＯＭ、ＤＶＤ又は任意の他の光媒体、ＲＡＭ、ＲＯＭ、ＰＲＯＭ、ＥＰＲＯＭ、ＦＬＡＳＨ−ＥＰＲＯＭ、その変形、他のメモリチップ又はカートリッジ、あるいはプロセッサ１４が読み取って実行することができる任意の他の有形の媒体を含む。このコンテキストでは、システム１０は、１つ以上の汎用コンピュータ、専用コンピュータ、プログラムされるマイクロプロセッサ又はマイクロコントローラ及び周辺集積回路要素、ASIC又は他の集積回路、デジタル信号プロセッサ、個別要素回路のようなハードワイヤードされた電子又は論理回路、PLD、PLA、EPGA、グラフィクス処理ユニット（GPU）又はPALのようなプログラム可能な論理デバイス等において、あるいはこれらとして実装され得る。
【００２０】
ウェブサービス２２は、サーバ２４内のICCAデータベース（図示せず）への読取及び書込みアクセスを提供する。また、ウェブサービス２２は、簡単なオブジェクトを使用してオブジェクトモデルも提供する。スマートフォン１２は、ネイティブの開発言語及びツールを用いて、ICCAウェブサービス２２にアクセスして、特定のスマートフォンオペレーティングシステム用のユーザインタフェースを開発する。したがって、アーキテクチャは、例えばAndroid（登録商標）、Windows  Phone（登録商標）又はAppleベースのシステムに基づく様々なスマートフォンシステムにわたる一般的なレベルの機能を提供することを促進する。インタフェース及びオブジェクトを通してICCAと疎結合することによって、ユーザインタフェースは、全てのスマートフォン及び全てのオペレーティングシステムに対してスケーラブルである。
【００２１】
Androidのモバイルプラットフォームでは、アプリケーションは、これらに限定されないが、Eclipse統合開発環境（IDE）及びJava（登録商標）言語等のような標準的な開発ツールを使用して構築され、Android  JavaネイティブのAPIライブラリを使用する。アプリケーションは、Google（登録商標）のモデルビューコントローラ（MVC）パターンを使用し、Javascript（登録商標）Object  Notation（.JSON）ウェブサービスを介してICCAサーバとやり取りする。この実施形態では、Androidデバイスは、デバイスの持続性（例えばSQL  Lite）を使用して、オフラインのユーザのために、最適なパフォーマンスとキャッシュされたデータを提供する。
【００２２】
AppleのiPhone（登録商標）のモバイルプラットフォームでは、アプリケーションは、限定ではなく例として、Xcode統合開発環境（IDE）、インタフェースビルダ、iPhoneソフトウェア開発キット（SDK）等のようなAppleのiOS開発ツールを使用して構築される。ユーザインタフェース１３は、iPhoneのフレームワーク、例えばCocoa  Touch（登録商標）を使用して定義される。Cocoa  TouchのようなiPhoneフレームワークの使用は、アプリケーションが他のiPhoneアプリケーションのルックアンドフィールを有することを保証する。オブジェクト指向のCプログラミングを使用してビジネスロジックを定義し、画面を画面ナビゲーションに対して管理して、表示用に患者のワークリスト情報を取り出すようICCAウェブサービスにアクセスすることができる。拡張マークアップ言語（.XML）又はJavascript（登録商標）Object  Notation（.JSON）構造を介して、ICIP（International  Conference  on  Image  Processing）ウェブサービスから返されるデータは、NSXMLパーサ又はサードパーティJSONパーサのいずれかを使用して解析される。
【００２３】
マイクロソフトのWindows  Phoneのモバイルプラットフォームでは、アプリケーションは、Windows  Phoneソフトウェア開発キットを使用して構築される。ユーザインタフェース１３は、拡張可能アプリケーションマークアップ言語（XAML）マークアップ言語を使用して作成される。アプリケーションの主画面は、Windows  Phoneピボットコントロールを使用して実装される。これは、ユーザが「自分のスケジュール（My  Schedule）」と「自分の患者（My  Patients）」画面（図２〜図５）との間を、例えばWindows  Phone画面ジェスチャを使用してナビゲートすることを可能にする。ユーザが「自分のスケジュール」画面（図２〜図４）のいずれかの時間ベースの行を選択すると、「スケジュール詳細（Schedule  Details）」（図５）画面が表示される。ユーザが「自分の患者」画面（図６）の患者の行を選択すると、「患者詳細（Patient  Details）」画面（図７）が表示される。ビジネスロジック及びネットワーキング機能は、例えばC#プログラミング言語又は任意の他の適切なプログラミング言語を使用して実装される。アプリケーションは、Windows  Phoneラインタイム環境によって提供されるWebClient及びHttpWebRequestクラスを使用してICCAウェブサービス２２と通信する。
【００２４】
ユーザインタフェース１３を介して提示されるアプリケーションは、その電話の製造業者のアプリケーションストアを介して配信され、かつ／又はスマートフォン１２上でインストールパッケージを実行することによって手動でインストールされ得る。パッケージは、PC（図示せず）とスマートフォン１２との間の直接通信を介してデバイスにダウンロードされ、ウェブ画面からダウンロードされ、あるいは電子メールを介してユーザに送信され得る。
【００２５】
図２〜図７は、本明細書で提示される１つ以上の態様に係る、SPWL画面の例又はユーザインタフェース１３（図１）を介して看護師若しくは他のユーザに提示されるような画面の例のスクリーンショットを示す。ユーザインタフェース１３は、スマートフォンの限られた画面スペースを使用して多くの情報を伝達するためにアイコンを使用する、複数患者の要約画面を提示している。アイコンは、タスク、警告、治療、懸念事項（concern）等のカテゴリ又はタイプを表す。単一のアイコンが、１つ又は複数のアイテムを表すことができる。１つのアイコンによって表される１つより多くのアイテムが存在する場合、そのアイコンは、アイコンと一緒に表示される数を有する。ユーザインタフェース画面又は本明細書で説明される画面のアイコンは、ユーザが、いずれかの患者、アイテム又はスケジュールされた時間範囲についての更なる詳細へ「ドリルダウン」又は「ズーム」インすること、並びにより大きなピクチャへズームアウトすることを可能にする。ユーザに提示されるアイコンは、患者記録が変化するときに動的に更新され、臨床判断のサポートのために、ICCAの臨床報告及びワークフローリマインダを提示する。アイコンは、ユーザが、看護師に割り当てられた１人以上の患者を特定すると、自動的に生成及び／又は更新される。
【００２６】
加えて、説明されるSPWL画面又は画面は、ユーザが、完了したタスク及び簡単な評価情報をカルテ記入することを可能にする。全てのカルテ記入情報が自動的に患者のカルテに伝達され、患者のカルテはリアルタイムで更新される。スマートフォンと臨床情報システムとの間の全ての通信は、HIPAA及びMeaningful  Useのためのセキュリティ及びプライバシー要件に従う。
【００２７】
SPWLユーザインタフェースを介してユーザに提示される様々な画面は、これらに限定されないが、複数の患者について、時間によって行われるべきタスクを示す時間ベースの画面である、「スケジュール」画面５０、１００、１５０（図２〜図４）；看護師又は他のユーザに割り当てられた患者のグループに関する詳細を示す患者ベースの画面である、「患者」画面２００（図５）；特定の期間の間に何を行う必要があるかについて焦点を当てる「スケジュール詳細」画面２５０、読取専用画面及び特定の患者の詳細に焦点を当てる「患者詳細」画面３００を含むことができる。この画面は、患者に関する情報をカルテ記入することを可能にする。一実施形態では、タスクが完了された旨を看護師が不注意でカルテ記入するという状況、薬剤が不正確な患者のカルテで管理されているという状況を軽減するために、安全機能として患者詳細画面３００に対してのみカルテ記入することができる。
【００２８】
図２は、本明細書で説明される１つ以上の態様に従って、Appleオペレーティングシステム上で提示されるときのSPWLの「自分のスケジュール」画面５０の例を示している。スケジュール画面５０は、複数の患者について時間によって行われるべきタスクを示す、時間ベースの画面である。一実施形態において、スケジュール画面５０は、その画面内に提示される情報の不注意による修正を防ぐように、読取専用の画面である。スケジュール画面５０は、看護師に割り当てられる複数の患者にわたって、ある時間期間の間に行われるべきタスクの時間指向のビューである。スケジュール画面は、ログイン時に表示される初期画面である。一実施形態において、スクリーン画面は、最初に提示される最も緊急のタスク又は時間と、画面の更に下に提示される時間的に更に隔たっているタスクを有する、時間ベースのグリットとして提示される。別の実施形態では、スケジュールタスクがある時間期間のみが表示される。
【００２９】
スケジュール画面５０は、画面の上部に警告（Warnings）パネル５２を含み、この警告パネル５２は、確認を必要とする通知５４（例えば新しい検査結果が入手可能であること）、１人又は複数の患者についての臨床報告５６（例えば患者の状態が変化したこと、例えば血圧の低下等の通知）、ワークフローのリマインダ５８（例えば差し迫っているか期限の過ぎたタイムクリティカルなタスクのリマインダ）についてのアイコンを表示している。メイン画面エリア６０は、画面の目的／コンテンツに依存して変化するコンテンツを含む。画面の下部のナビゲーション（Navigation）パネル６２は、ユーザが他の画面へナビゲートし、以前の画面に戻り、ログアウトし、サインインすること等を可能にする。
【００３０】
メイン画面エリア６０は、時間によってスケジュールされたアイテムを示す、スケジュールされた時間の行エリア６４を含む。一実施形態において、他のアイテムより優先度の高い薬剤が提示される。薬のアイコン６６は、看護師に割り当てられた全ての患者にわたって、スケジュールされた時間又は時間期間の期限が来る薬剤投与（medication  administration）の数に関連する情報を含む。図示される例では、ユーザには、４月２６日の午後１時及び午後７時と４月２７日の午前１時に、薬剤を１人以上の患者に与えなければならないことを示す薬のアイコンが提示されている。
【００３１】
異なるアイコンを用いて、例えば薬剤投与、スケジュールされた手術及び手当（procedure）、検査（例えば放射線、血液パネル等）、ADTアクション（例えば入院（admission）、退院（discharge）、移動（transfers）等）、処置（例えば包帯交換等）及び多岐にわたるアイテムを表す。一実施形態において、時間制約のあるタスクのアイコンは、例えば黄色又は何らかの他の所定の色でハイライトされる。別の実施形態において、期限が過ぎたアイテムがある行は、例えば赤のテキスト又は何らかの他の適切な方法で提示される。タスクが、実行済み／実施済みとしてカルテ記入されると、このタスクはスケジュールから除外される。
【００３２】
「スケジュールされていないタスク」の行６８は、スケジュールされておらず、関連する時間を有していないタイプのタスクについてのアイコン６９、７０を表示する。スケジュールされていないタスクは、重要な懸念事項又は気を付けるべき状態を表すアイコンを備える。異なるアイコンが、各カテゴリのタスク（例えば連続的又は継続的なタスク、必要なときの（PRM）又は「必要に応じた（as  needed）」タスク等）を表す。そのようなタスクの例は、例えば点滴を含む注入、完全静脈栄養（TPN）、コロイド、輸血、静脈内注射、ドレーン及び排出部位（output  site）、外傷／手術部位、酸素療法／ベンチレータ等のような継続的呼吸治療及び他の多岐にわたる情報を含む。図示される例では、「ダイエット」アイコン６９は、患者が指定の食べ物又は特定のカロリ数を消費したことをチェックすることのように、ユーザが実行すべきダイエットタスクを表す。ユーザが実行すべき継続的な投薬タスクを表す薬のアイコン７０も表示されている。
【００３３】
ナビゲーションパネル６２は、ユーザがSPWLホーム画面に戻ることを選択する「ホーム」アイコン７２と、ユーザが「自分の患者」画面を見ることを選択する「患者」アイコン７４と、ユーザがデータを保存することを選択する「保存」アイコン７６と、ユーザが前の画面に戻ることを選択する「リターン」アイコン７８とを含む。ユーザがスケジュール画面５０に対して実行することができるアクションは、これらに限定されないが、その時間期間の間にスケジュール詳細画面（図６）にナビゲートするために、任意の時間ベースの行を選択すること、時間期間によってフィルタされるか、かつ／又はタスクのそのタイプによってフィルタされる、スケジュール詳細へナビゲートするために任意のタスクアイコンを選択することを含む。
【００３４】
図３は、本明細書で説明される１つ以上の態様に従って、Androidオペレーティングシステムで提示されるようなSPWL内の「マイスケジュール」画面１００の例を図示している。スケジュール画面１００は、複数の患者について時間によって行われるべきタスクを示す、時間ベースの画面である。一実施形態において、スケジュール画面１００は、その中に提示される情報の不注意による修正を妨げるよう読取専用画面である。一実施形態において、スケジュール画面１００は、看護師に割り当てられた複数の患者にわたって、ある時間期間の間に行われるべきタスクの時間指向のビューである。スケジュール画面はログイン時に表示される初期画面である。一実施形態では、スクリーン画面は、最初に提示される最も緊急のタスク又は時間と、画面の更に下に提示される時間的に更に隔たっているタスクを有する、時間ベースのグリットとして提示される。別の実施形態では、スケジュールタスクがある時間期間のみが表示される。
【００３５】
スケジュール画面１００は、画面の上部に警告パネル１０２を含み、この警告パネル１０２は、確認を要する通知１０４（例えば新しい検査結果が入手可能であること）、１人又は複数の患者についての臨床報告１０６（例えばスケジューリングを要する検査又は手当等）、ワークフローのリマインダ１０８（例えば差し迫っているか期限の過ぎたタイムクリティカルなタスクのリマインダ）についてのアイコンを表示している。メイン画面エリア１１０は、画面の目的／コンテンツに依存して変化するコンテンツを含む。図示されていないが、画面の下部のナビゲーションパネルは、ユーザが他の画面へナビゲートし、以前の画面に戻り、ログアウトし、サインインすること等を可能にする。
【００３６】
メイン画面エリア１１０は、スケジュールされたアイテムを示す、スケジュールされた時間の行１１２を含む。一実施形態において、他のアイテムより優先度の高い薬剤が提示される。薬のアイコン１１６は、看護師に割り当てられた全ての患者にわたって、スケジュールされた時間又は期間の期限が来る薬剤投与の数に関連する情報を含む。図示される例では、ユーザには、４月２６日の午後１時に、１人以上の患者について、２つの薬剤を与えなければならないこと、そして１つのタイムクリティカルなタスクを実行しなければならないことを示すアイコンが提示されている。４月２６日の午後８時に追加のタスクを実行しなければならず、４月２７日の午後１１時に患者に薬を投与すべきである。
【００３７】
異なるアイコンを用いて、例えば薬剤投与、スケジュールされた手術及び手当、検査（例えば放射線、血液パネル等）、ADTアクション（例えば入院、退院、移動等）、処置（例えば包帯交換等）及び多岐にわたるアイテムを表す。一実施形態において、時間制約のあるタスクのアイコンは、例えば黄色又は何らかの他の所定の色でハイライトされる。別の実施形態において、期限が過ぎたアイテムがある行は、例えば赤のテキスト又は何らかの他の適切な方法で提示される。タスクが、実行済み／実施済みとしてカルテ記入されると、このタスクはスケジュールから除外される。
【００３８】
「スケジュールされていないタスク」の行１１４は、スケジュールされておらず、関連する時間を有していないタイプのタスクについてのアイコン（図３では図示せず）を含むことができる。スケジュールされていないタスクは、重要な懸念事項又は気を付けるべき状態を表すアイコンを備える。異なるアイコンが、各カテゴリのタスク（例えば連続又は継続的なタスク、必要なときの（PRM）又は「必要に応じた」タスク等）を表す。そのようなタスクの例は、例えば点滴を含む注入、完全静脈栄養（TPN）、コロイド、輸血、静脈内注射、ドレーン及び排出部位、外傷／手術部位、酸素療法／ベンチレータ等のような継続的な呼吸治療及び他の多岐にわたる情報を含む。例えば「ダイエット」アイコンは、患者が指定の食べ物又は特定のカロリ数を消費したことをチェックすることのように、ユーザが実行すべきダイエットアイテムを表す。薬のアイコンは、ユーザが実行すべき継続的な投薬タスクを表す。図３のスケジュールされていないタスクの行１１４のアイコンは、図２に関連して説明したものと同様の方法でユーザに情報を提示することが理解されよう。
【００３９】
ユーザは、図２に関連して説明したものと同様にアイコン、例えばユーザがSPWLホーム画面に戻ることを選択する「ホーム」アイコン、ユーザが「自分の患者」画面を見ることを選択する「患者」アイコン、ユーザがデータを保存することを選択する「保存」アイコン、そしてユーザが前の画面に戻ることを選択する「リターン」アイコン等を含む、ナビゲーションパネル（図３には図示せず）へスクロールダウンすることができる。ユーザがスケジュール画面１００上で実行することができるアクションは、これらに限定されないが、その時間期間の間にスケジュール詳細画面（図６）にナビゲートするために、任意の時間ベースの行を選択すること、時間期間によってフィルタされるか、かつ／又はタスクのそのタイプによってフィルタされる、スケジュール詳細へナビゲートするために任意のタスクアイコンを選択することを含む。
【００４０】
図４は、本明細書で説明される１つ以上の態様に従って、Windows  Phoneオペレーティングシステムで提示されるようなSPWL内の「スケジュール」画面１５０の例を図示している。スケジュール画面１５０は、複数の患者について時間によって行われるべきタスクを示す、時間ベースの画面である。一実施形態において、スケジュール画面１５０は、その中に提示される情報の不注意による修正を妨げるよう読取専用画面である。スケジュール画面１５０は、看護師に割り当てられた複数の患者にわたって、ある時間期間の間に行われるべきタスクの時間指向のビューである。スケジュール画面はログイン時に表示される初期画面である。一実施形態では、スクリーン画面は、最初に提示される最も緊急のタスク又は時間と、画面の更に下に提示される時間的に更に隔たっているタスクを有する、時間ベースのグリットとして提示される。別の実施形態では、スケジュールタスクがある時間期間のみが表示される。
【００４１】
スケジュール画面１５０は、画面の上部に警告パネル１５２を含み、この警告パネル１５２は、確認を要する通知１５４（例えば新しい検査結果が入手可能であること）、１人又は複数の患者についての臨床報告１５６（例えばスケジューリングを要する検査又は手当等）、ワークフローのリマインダ１５８（例えば差し迫っているか期限の過ぎたタイムクリティカルなタスクのリマインダ）についてのアイコンを表示している。メイン画面エリア１６０は、画面の目的／コンテンツに依存して変化するコンテンツを含む。画面の下部のナビゲーションパネル（図示せず）は、ユーザが他の画面へナビゲートし、以前の画面に戻り、ログアウトし、サインインすること等を可能にする。
【００４２】
メイン画面エリア１６０は、スケジュールされたアイテムを示す、スケジュールされた時間の行１６２を含む。一実施形態において、他のアイテムより優先度の高い薬剤が提示される。薬のアイコン１６４は、看護師に割り当てられた全ての患者にわたって、スケジュールされた時間又は期間の期限が来る薬剤投与の数に関連する情報を含む。図示される例では、ユーザには、午後１２時に１つの薬剤を与えなければならず、午後４時に２つの薬を与えなければならず、午後８時にもう１つの薬を与えなければならないことを示す薬のアイコンが提示されている。加えて、午後３時に患者のケアのタスクを完了しなければならず、午後４時にダイエット関連のタスクの完了が必要である。
【００４３】
異なるアイコンを用いて、例えば薬剤投与、スケジュールされた手術及び手当、検査（例えば放射線、血液パネル等）、ADTアクション（例えば移動等）、処置（例えば包帯交換等）及び多岐にわたるアイテムを表す。一実施形態において、時間制約のあるタスクのアイコンは、例えば黄色又は何らかの他の所定の色でハイライトされる。別の実施形態において、期限が過ぎたアイテムがある行は、例えば赤のテキスト又は何らかの他の適切な方法で提示される。タスクが、実行済み／実施済みとしてカルテ記入されると、このタスクはスケジュールから除外される。
【００４４】
「スケジュールされていないタスク」の行１６６は、スケジュールされておらず、関連する時間を有していないタイプのタスクについてのアイコン（図４では図示せず）を含むことができる。スケジュールされていないタスクは、重要な懸念事項又は気を付けるべき状態を表すアイコンを備える。異なるアイコンが、各カテゴリのタスク（例えば連続又は継続的なタスク、PRMタスク等）を表す。そのようなタスクの例は、例えば点滴を含む注入、TPN、コロイド、輸血、静脈内注射、ドレーン及び排出部位、外傷／手術部位、酸素療法／ベンチレータ等のような継続的な呼吸治療及び他の多岐にわたる情報を含む。例えば「ダイエット」アイコンは、患者が指定の食べ物又は特定のカロリ数を消費したことをチェックすることのように、ユーザが実行すべきダイエットアイテムを表す。薬のアイコンは、ユーザが実行すべき継続的な投薬タスクを表す。図４のスケジュールされていないタスクの行１６６のアイコンは、図２に関連して説明したものと同様の方法でユーザに情報を提示することが理解されよう。
【００４５】
ユーザは、図２に関連して説明したものと同様のアイコン、例えばユーザがSPWLホーム画面に戻ることを選択する「ホーム」アイコン、ユーザが「自分の患者」画面を見ることを選択する「患者」アイコン、ユーザがデータを保存することを選択する「保存」アイコン、そしてユーザが前の画面に戻ることを選択する「リターン」アイコン等を含む、ナビゲーションパネル（図３には図示せず）へスクロールダウンすることができる。ユーザがスケジュール画面１５０上で実行することができるアクションは、これらに限定されないが、その時間期間の間にスケジュール詳細画面（図６）にナビゲートするために、任意の時間ベースの行を選択すること、時間期間によってフィルタされるか、かつ／又はタスクのそのタイプによってフィルタされる、スケジュール詳細へナビゲートするために任意のタスクアイコンを選択することを含む。
【００４６】
図５は、本明細書で説明される１つ以上の態様に従って、スマートフォン上に提示されるときのSPWLにおける「自分の患者（My  Patients）」画面２００の例を示している。患者画面２００は、以前の図面に関連して説明したものと同様のアイコンを備える、警告パネル２０２及びナビゲーションパネル２０４を備える。メイン画面エリア２０６は、ベッドセンサス（bed  census）の順で、看護師に割り当てられた患者ごとに、選択可能なエントリ２０８、２１０を表示する。看護師は、更に詳細に、選択された患者に関連付けられるワークリスト情報を見るよう患者を選択する。
【００４７】
図示される例では、患者のJohn  SmithとJim  Tasserが図示される。各患者エントリ２０８、２１０は、患者の名前、部屋番号、主な疾患、手術及び手術日等の統計的情報を備える。各患者エントリは、薬ごとにアイコンを使用して、次の４時間までに期限が来る薬のリストを更に備える。各薬のアイコン２１２は、その薬を投与すべき時間を表示する。図示される例では、時間的制約のある一回分の投与（dose）２１４がハイライトされる。一実施形態では、期限の過ぎた投薬を所定の色（例えば赤等）で示す。各患者エントリは、スケジュールされた時間を伴うタスクのタイプを表すアイコンを使用する他のスケジュールされたタスクのリストを備える。例えばｘ線のアイコン２１６は、John  Smithが午後１２時に放射線の手当をスケジュールされていることを示す。スケジュールされていない考慮事項もアイコンによって表され、この場合、アイコンは１つ又は複数の考慮事項を表すことができる。例えばIVアイコン２１８は、患者のIVバッグをチェックすべきであることをユーザに示す。
【００４８】
図６は、本明細書で説明される１つ以上の態様に従って、スマートフォン上に提示されるときのSPWLにおける「スケジュール詳細（Schedule  Details）」画面２５０の例を示している。スケジュール詳細画面２５０は、以前の図面に関連して説明したものと同様のアイコンを備える、警告パネル２５２及びナビゲーションパネル２５４を備える。メイン画面エリア２５６は、ベッドセンサスの順で、看護師に割り当てられた患者ごとに、選択可能な患者の行２５８、２６０、２６２、２６４を表示する。
【００４９】
スケジュール詳細画面２５０は、患者についての詳細と、特定のスケジュールされた時間及び／又はタスクのタイプについて要求されるタスクを提供する。薬剤投与量又は注入のタイプといった、タスクに関する完全な情報が提供される。特定のカテゴリのタスクが選択されると、次いで、全ての他のタイプのタスクが、表示されたインタフェースからフィルタアウトされる（すなわち、ユーザは、選択したタスクへドリルダウンする）。特定の時間期間が選択されると、次いで、他の全ての時間期間が、表示されたインタフェースからフィルタアウトされる（すなわち、ユーザは、選択した時間期間へドリルダウンする）。一実施形態において、情報の行は、患者の部屋によって、例えば医療施設のベッドセンサスがどのようにリストされるかに従って編成される。各患者の行は、（特定のアイコンが選択されると）そのタスクカテゴリの（時間ベースであれば）その時間に期限が来る１つ又は複数のタスクをリストする。一実施形態において、スケジュール詳細画面は、表示されたデータに対する不注意による変更を軽減するよう、読取専用の画面である。各患者の行は、名前、部屋、診断、年齢、アレルギー、手術及び手術日等のような統計的情報を含む。患者を選択すると、ユーザには患者詳細画面（図７）が提示される。
【００５０】
図７は、本明細書で説明される１つ以上の態様に従って、スマートフォン上に提示されるときのSPWLにおける「患者詳細（Patient  Details）」画面３００の例を示している。患者詳細画面は、ユーザが、この患者詳細画面を越えてナビゲートすることはできないが、複数の画面中を戻るようにナビゲートすることは許容されるように、ユーザが１つ以上の他の画面（例えば「自分の患者」画面等）を通って患者詳細画面へドリルダウンするという点で、複数のSPWL画面のうち「最も深い」画面である。加えて、不注意によるカルテ記入を防ぐよう読取専用である他のWPWL画面とは対照的に、患者詳細画面は、ユーザがその画面に対してカルテ記入を実行することができるよう書込み可能である。
【００５１】
患者詳細画面３００は、以前の図面に関連して説明したものと同様のアイコンを備える、警告パネル３０２及びナビゲーションパネル３０４を備える。メイン画面エリア３０６は、時間によって編成される、患者について実行すべきタスクに関連する完全なタスク情報を表示する。図示された例では、「スケジュールされたタスク（Scheduled  Tasks）」アイコン３０８は、このアイコン３０８の隣の「−」によって示されるように、John  Smithについて患者詳細画面上のメイン画面エリア３０６内で拡張されている。John  Smithについてスケジュールされたタスクは、午前８時に投与すべき３つの薬と、午前１１時に投与すべき１つの薬という、４つの薬を含んでおり、このうち、午前１１時に投与すべき薬は、ハイライトされた薬のアイコン３１０によって示されるようにタイムクリティカルである。この画面（患者詳細画面）上において、ユーザは、所与のタスクを選択することを許容されており、これを完了すると、タスクが完了したこという指示を入力する。ユーザ入力を使用して、患者のカルテをリアルタイムで更新する。
【００５２】
患者詳細画面は、それぞれのアイコン／見出しの隣に３つの「＋」記号のアイコンも示しており、これらのアイコン／見出しは、対応する「＋」記号のアイコンの選択があると拡張され得る。「＋」記号のそれぞれの見出しは、連続的な注入／治療及びPRN、治療部位、問題リストに対応しており、患者の詳細情報を更に備えることができる。ユーザが「＋」アイコンをクリックすると、それぞれのコンテンツが広がる。ユーザは次いで、広がった見出しの下にあるタスクを選択して、そのタスクが完了したかどうかに関する指示を入力する。一実施形態では、簡単なコメントを、例えばスマートフォンのキーボードを介して、あるいはスマートフォンデバイス上のマイクを介して入力することができる。カルテ記入を実行又は「実施」すると、投薬量のような他の情報を入力することができる。
【００５３】
図２〜図７に関して検討されるようなSPWLの画面に関して、一実施形態では、本明細書で説明されるSPWL画面の警告パネルを、全ての画面の上部に表示する。警告パネルは、異なるタイプの患者及びワークフローの警告を表す１つ以上の警告アイコンを備える。警告のタイプには、スケジュールされたタスクが所定の時間（例えば３０分等）の期限を過ぎていることを示す、期限超過ワークフローのリマインダを含めることができる。期限超過ワークフローリマインダのアイコンを、第１の所定の色（例えば赤等）でハイライトすることができる。警告パネルには、所定の時間期間（例えば次の３０分等）内に期限が来る、時間制約のある治療介入を含めることもできる。時間制約のある治療介入は、スケジュール時間の近くに行われなければならないタスクをスケジュールされ、これらのアイコンを第２の所定の色（例えば黄色等）でハイライトすることができる。患者のカリウム（K）値が低すぎるという警告等のように、臨床報告も警告パネルに含めることができる。
【００５４】
加えて、警告パネルは、患者についての新たなアイテムの到着等、割り合てられた患者について新たな検査結果が利用可能であるという指示のような、ワークフローリマインダのためのアイコンを含むことができる。警告パネル内のアイコンを選択することは、患者名及び部屋を含む、警告の詳細を表示する。ユーザが患者特有の画面上にあるとき、警告パネルは、視覚的インジケータによって分けられる、その特定の患者についての警告と、割り当てられた患者全てについての警告との双方を表示することができる。これにより、看護師が特定の患者に焦点を当てているときであっても、全ての患者の状況についてその看護師に知らせることができる。
【００５５】
一実施形態によると、ナビゲーションパネルはSPWL画面の下部に表示される。ナビゲーションパネルは、自分の患者画面、自分のスケジュール画面に続いてアクセスするか以前の画面に戻り、あるいは（例えばパスワードを入力して臨床情報システムにログイン情報を送信することによって）ログアウト又はログインするように、選択可能なアイコンを備える。この機能は、看護師が、パスワードの単一の入力で複数のアイテムをカルテ記入することを可能にする。認識されるように、別の実施形態では、警告パネルがSPWL画面の下部に表示され、ナビゲーションパネルがSPWL画面の上部に表示される。
【００５６】
図８は、本明細書で説明される１つ以上の態様に従って、患者ステータス情報をカルテ記入するためのスマートフォンベースの複数患者ワークリスト（SPWL）を提供する方法を図示する。４００において、スマートフォン又は他のパーソナル通信デバイスのユーザを識別するユーザログイン情報を受け取る。例えばユーザは、ユーザ自身のログイン認証情報を入力することができ、スマートフォンは中央サーバと通信して、ユーザの認証情報を検証する。別の実施形態では、ユーザの認証情報はスマートフォンによってローカルで検証される。ユーザがログインすると、４０２において、ワークリストのホーム画面が、スマートフォンのユーザインタフェース上でユーザに提示される。ワークリストのホーム画面は、ユーザに割り当てられた複数の患者について、ユーザのシフト中に完了すべきスケジュールされたタスクを備える。一実施形態において、ホーム画面は、図２〜図４に関連して説明したような「自分のスケジュール」画面である。別の実施形態では、ホーム画面は、選択可能なアイコンを備え、この選択可能なアイコンを通して、ユーザは、図２〜図７に関して説明した画面のいずれかにナビゲートすることができる。ホーム画面は、本明細書で説明される警告パネル及びナビゲーションパネルも含み得る。
【００５７】
４０４において、ユーザが、複数の患者のうちの特定の１人について実行すべきタスクを備える患者詳細画面にナビゲートしたという判断が行われる。４０６において、その特定の患者について実行すべきタスクの完了に関するユーザ入力ステータス更新情報を受け取る。例えばユーザは、タイムクリティカルな薬を定刻に与えたことを指示し、あるいは患者のIVバッグを替えたことを指示することができる。４０８において、ステータス更新情報は、特定の患者のカルテのリアルタイム更新のために、中央サーバに送信される。このようにして、ユーザ（例えば看護師）によってカルテ記入が患者詳細画面において実行され、一方、SPWLアプリケーションの他の画面は、不注意によるステータス更新を回避するよう読取専用で提供される。
【００５８】
本革新は幾つかの実施形態に関連して説明されている。上述の詳細な説明を読み、理解すると、修正及び変更が他の人に思い浮かぶ可能性がある。本革新は、そのような修正及び変更が添付の特許請求の範囲又はその均等の範囲内にある限りにおいて、そのような修正及び変更を全て含むものとして解釈されるものとして意図される。
【図１】
2017513125.tif 000003
【図２】
2017513125.tif 000004
【図３】
2017513125.tif 000005
【図４】
2017513125.tif 000006
【図５】
2017513125.tif 000007
【図６】
2017513125.tif 000008
【図７】
2017513125.tif 000009
【図８】
2017513125.tif 000010
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
患者ステータス情報をカルテ記入するために、スマートフォンベースの複数患者ワークリスト（SPWL）を提供するための命令を記憶しているコンピュータ読取可能媒体であって、前記命令は、
スマートフォンのユーザを識別するユーザログイン情報を受け取る動作と；
前記ユーザに割り当てられた複数の患者について前記ユーザのシフト中に完了すべきスケジュールされたタスクを表すアイコンを備えるワークリストのホーム画面を、前記スマートフォンのユーザインタフェース上に前記ユーザに対して提示する動作と；
前記ユーザが、前記複数の患者のうちの特定の１人の患者について実行すべきタスクを備える患者詳細画面にナビゲートしたことを検出する動作と；
前記特定の患者について実行すべき前記タスクの完了に関するユーザ入力ステータス更新情報を受け取る動作と；
前記特定の患者のカルテのリアルタイム更新のために、前記ステータス更新情報を中央サーバに送信する動作と；
を備え、
前記患者詳細画面が、前記SPWLを介して前記ユーザに提示される複数の画面のうち、前記ユーザが前記患者詳細画面を越えてナビゲートすることはできないが、前記複数の画面中を戻るようナビゲートすることは許容される、最も深い画面であることと；
前記複数の画面が、読取専用画面である患者画面を備え、該患者画面が、前記ユーザに割り当てられた複数の患者に関連する詳細の要約を、前記ユーザに対して図形的に提示するアイコンを備えることと；
のうちの少なくとも一方である、コンピュータ読取可能媒体。
【請求項２】
前記ユーザは、所与の患者の患者情報を、該所与の患者に対応する前記患者詳細画面のみにおいてカルテ記入することを許容される、
請求項１に記載のコンピュータ読取可能媒体。
【請求項３】
前記複数の画面は、時間ベースの読取専用画面であるスケジュール画面を備え、該スケジュール画面は、前記ユーザが複数の患者について実行すべきスケジュールされたタスクの要約を、前記ユーザに対して図形的に提示するアイコンを備える、
請求項１に記載のコンピュータ読取可能媒体。
【請求項４】
前記複数の画面は、時間ベースの読取専用画面であるスケジュール詳細画面を備え、該スケジュール詳細画面は、前記ユーザが、１つ以上の選択された時間期間の間に実行すべきスケジュールされたタスクの要約を、前記ユーザに対して図形的に提示するアイコンを備える、
請求項１乃至３のいずれか一項に記載のコンピュータ読取可能媒体。
【請求項５】
要約される情報は、前記患者について実行すべきタスクと、前記患者に対して投与すべき薬と、タイムクリティカルなタスク又は薬と、前記患者に対して実施すべき臨床的手当のうちの少なくとも１つを備える、
請求項１乃至４のいずれか一項に記載のコンピュータ読取可能媒体。
【請求項６】
前記ホーム画面及び前記複数の画面の各々は、前記ユーザに割り当てられた全ての患者について、期限超過ワークフローリマインダ、タイムクリティカルなタスク、臨床報告及び検査結果の通知のうちの１つ以上に関連付けられる選択可能なアイコンを備える、警告パネルを含む、
請求項１乃至５のいずれか一項に記載のコンピュータ読取可能媒体。
【請求項７】
前記ホーム画面及び前記複数の画面の各々は、選択されると、ユーザに患者画面、スケジュール画面、以前の画面、ログイン画面及びログアウト画面をそれぞれ提示する、複数の選択可能なナビゲーションアイコンを備える、ナビゲーションパネルを含む、
請求項１乃至６のいずれか一項に記載のコンピュータ読取可能媒体。
【請求項８】
前記アイコンは更に、
１つ以上のスケジュールされていない継続的な治療；
１人以上の患者に対する注意を要する１つ以上の身体的な部位；及び
所定の時間ウィンドウ内での実施を要する１つ以上の時間制約のあるタスク；
のうちの少なくとも１つに関連する情報を表す
請求項１乃至７のいずれか一項に記載のコンピュータ読取可能媒体。
【請求項９】
患者ステータス情報をカルテ記入するために、スマートフォンベースの複数患者ワークリスト（SPWL）を提供するように構成されるパーソナル通信デバイスであって、
スマートフォンのユーザを識別するユーザログイン情報を受け取り、
前記ユーザに割り当てられた複数の患者について前記ユーザのシフト中に完了すべきスケジュールされたタスクを備えるワークリストのホーム画面を、前記スマートフォンのユーザインタフェース上に前記ユーザに対して提示し、
前記ユーザが、前記複数の患者のうちの特定の１人の患者について実行すべきタスクを備える患者詳細画面にナビゲートしたことを検出し、
前記特定の患者について実行すべき前記タスクの完了に関するユーザ入力ステータス更新情報を受け取り、
前記特定の患者のカルテのリアルタイム更新のために、前記ステータス更新情報を中央サーバに送信する
ように構成されるプロセッサ
を備え、
前記患者詳細画面が、前記SPWLを介して前記ユーザに提示される複数の画面のうち、前記ユーザが前記患者詳細画面を越えてナビゲートすることはできないが、前記複数の画面中を戻るようナビゲートすることは許容される、最も深い画面であることと；
前記複数の画面が、読取専用画面である患者画面を備え、該患者画面が、前記ユーザに割り当てられた複数の患者に関連する詳細の要約を、前記ユーザに対して図形的に提示するアイコンを備えることと；
のうちの少なくとも一方である、パーソナル通信デバイス。
【請求項１０】
前記ユーザは、所与の患者の患者情報を、該所与の患者に対応する前記患者詳細画面のみにおいてカルテ記入することを許容される、
請求項９に記載のパーソナル通信デバイス。
【請求項１１】
前記複数の画面は、時間ベースの読取専用画面であるスケジュール画面を備え、該スケジュール画面は、前記ユーザが複数の患者について実行すべきスケジュールされたタスクの要約を、前記ユーザに対して図形的に提示するアイコンを備える、
請求項９に記載のパーソナル通信デバイス。
【請求項１２】
前記複数の画面は、時間ベースの読取専用画面であるスケジュール詳細画面を備え、該スケジュール詳細画面は、前記ユーザが、１つ以上の選択された時間期間の間に実行すべきスケジュールされたタスクの要約を、前記ユーザに対して図形的に提示するアイコンを備える、
請求項９乃至１１のいずれか一項に記載のパーソナル通信デバイス。
【請求項１３】
要約される情報は、前記患者について実行すべきタスクと、前記患者に対して投与すべき薬剤と、タイムクリティカルなタスク又は薬剤と、前記患者に対して実施すべき臨床的手当のうちの少なくとも１つを備える、
請求項９乃至１２のいずれか一項に記載のパーソナル通信デバイス。
【請求項１４】
前記ホーム画面及び前記複数の画面の各々は、前記ユーザに割り当てられた全ての患者について、期限超過ワークフローリマインダ、タイムクリティカルなタスク、臨床報告及び検査結果の通知のうちの１つ以上に関連付けられる選択可能なアイコンを備える、警告パネルを含む、
請求項９乃至１３のいずれか一項に記載のパーソナル通信デバイス。
【請求項１５】
前記ホーム画面及び前記複数の画面の各々が、選択されると、ユーザに患者画面、スケジュール画面、以前の画面、ログイン画面及びログアウト画面をそれぞれ提示する、複数の選択可能なナビゲーションアイコンを備える、ナビゲーションパネルを含むことと；
前記アイコンが更に、
１つ以上のスケジュールされていない継続的な治療、
１人以上の患者に対する注意を要する１つ以上の身体的な部位、及び
所定の時間ウィンドウ内での実施を要する１つ以上の時間制約のあるタスク、
のうちの少なくとも１つに関連する情報を表すことと
のうちの少なくとも一方である、請求項９乃至１４のいずれか一項に記載のパーソナル通信デバイス。
【国際調査報告】
2017513125.tif 000011
2017513125.tif 000012